(57)【要約】【目的】犬の首輪に搭載できる効果的でコンパクトで低価格な犬の吠声消音装置を提供すると共に、低価格を実現するためのビジネスモデルを提供することを目的とする。【構成】  第一の実施例で示すビジネスモデルと犬の吠え声消音装置では、ビジネスモデルの概略は、顧客１、犬の吠え声データ２、サービスセンター３、サービスチャンネル４ａ、４ｂ、音声解析装置５、吠え声消音装置７で構成され、吠え声消音装置７の概略は、吠え声受信器８、吠え声の特定周波数の位相検出器９、吠え声の音圧レベル検出器１０、合成音発生器１１、主要音成分の位相・音圧設定器１２ＣＰＵ１３、バッテリー１４およびデータバス１５で構成される。【選択図】  図１
2005295980.tif 000002
【特許請求の範囲】
【請求項１】
犬の飼い主から飼い犬の吠声を録音したデータを取得し、該データに基づいてその犬の吠声を消すため対抗音を発生する装置を設けて、対抗音の周波数、音圧レベル、位相等を設定した上で該犬の飼い主に犬の吠声消音装置を提供することを特徴とする犬の吠声消音装置販売のビジネスモデル。
【請求項２】
吠声消音装置適用対象として選定した犬の吠え声データを予め取得した上で該吠声を受信するマイクロフォンを設け、該吠え声の位相を検出する手段と、該吠え声の音圧レベルを検出する手段を設けると共に、該吠声の音声データを記録する音声データ記憶装置と、該吠声を消すための対抗音を発生するスピーカと、該対抗音の位相を設定する位相調整回路を設けたことを特徴とする犬の吠声消音装置。
【請求項３】
吠声消音装置適用対象として選定した犬の吠声データを予め取得した上で、該犬が吠えるときに生じる喉の振動を検出するセンサーを設け、該センサーの受信信号の位相を検出する手段と、該振動の加速度レベル検出手段を設けると共に、該吠声の音声データを記録する音声データ記憶装置と、該吠声を消すための対抗音を発生するスピーカと、該対抗音の位相を設定する位相調整回路を設けたことを特徴とする犬の吠声消音装置。
【請求項４】
吠声を受信するマイクロフォンを犬の喉に密着する位置となるように犬の首輪に取り付け遮音材または吸音材等から成るハウリング防止層で被覆し、吠声を消すための対抗音を発生するスピーカを、該ハウリング防止層を介して該マイクロフォンに隣接して、犬の首輪に取り付けたことを特徴とする請求項２に記載の犬の吠声消音装置。
【請求項５】
犬が吠えるときに生じる喉の振動を検出するセンサーを犬の喉に密着する位置となるように犬の首輪に取り付け、吠声を消すための対抗音を発生するスピーカを、該センサーに隣接して、犬の首輪に取り付けたことを特徴とする請求項３に記載の犬の吠声消音装置。
【発明の詳細な説明】
【技術分野】
【０００１】  この発明はアクティブノイズコントロールを応用した犬の吠声消音装置とそのビジネスモデルに関する。
【背景技術】
【０００２】  従来、アクティブノイズコントロールを応用した技術としては、高速道路の騒音低減や自動車走行時騒音の低減において、騒音を受信し、その周波数、位相、音圧レベルを瞬時に解析し、騒音の逆位相の音を対抗音として発生して騒音をキャンセルする方法が実用化されている。【０００３】  また、犬の吠声で近所迷惑が発生しないように、犬が吠えると犬に電気的刺激や犬の嫌う匂いを発生する訓練器具が販売されている。【０００４】  しかしながら、従来のアクティブノイズコントロールを応用した消音方法ではＤＳＰ（ディジタル・シグナル・プロセッサー）で瞬時に音声処理をする装置が必要でＤＳＰだけでも数万円であり、家庭用装置としては高価な装置となる。また、装置としても大きくなり、犬の首輪に取り付け可能なサイズではなくなり、動き回る犬の吠え声を消す効果も小さくなる。【０００５】  また、犬が吠えないようにする訓練器具は潜在的に動物愛護協会からクレームを受ける可能性があると共に、犬の飼い主にとっても犬の嫌う器具は好まない。
【発明の開示】
【発明が解決しようとする課題】
【０００６】  本発明は上記した従来の問題点を解決し、犬の首輪に搭載できる効果的でコンパクトで低価格な犬の吠声消音装置を提供すると共に、低価格を実現するためのビジネスモデルを提供するものである。【０００７】  また、犬には刺激も外的損傷も与えることなく、犬は思い切り吠えてもその吠え声は小さく聞こえるので、飼い主にも犬にも喜ばれる消音装置を提供する。
【課題を解決するための手段】
【０００８】  上記の課題を解決するためになされた本発明は、請求項１によれば、犬の飼い主犬の飼い主から飼い犬の吠声を録音したデータを取得し、該データに基づいてその犬の吠声を消すため対抗音を発生する装置を設けて、対抗音の音圧レベル、位相等を設定した上で該犬の飼い主に犬の吠声消音装置を提供することを特徴とするビジネスモデルである。【０００９】  また、請求項２によれば、吠声消音装置適用対象として選定した犬の吠え声データを予め取得した上で、該吠声を受信するマイクロフォンを設け、該吠え声の位相を検出する手段と、該吠え声の音圧レベルを検出する手段を設けると共に、該吠声の音声データを記録する音声データ記憶装置と、該吠声を消すための対抗音を発生するスピーカと、該対抗音の位相を設定する位相調整回路を設けたことを特徴とする。【００１０】  また、請求項３によれば、吠声消音装置適用対象として選定した犬の吠声データを予め取得した上で、該犬が吠えるときに生じる喉の振動を検出するセンサーを設け、該センサーの受信信号の位相を検出する手段と、該振動の加速度レベル検出手段を設けると共に、該吠声の音声データを記録する音声データ記憶装置と、該吠声を消すための対抗音を発生するスピーカと、該対抗音の位相を設定する位相調整回路を設けたことを特徴とする。【００１１】  また、請求項４によれば、請求項２に記載の犬の吠声消音装置を具体的に実現する構成の一つとして、吠声を受信するマイクロフォンを犬の喉に密着する位置となるように犬の首輪に取り付け、遮音材または吸音材等から成るハウリング防止層で被覆し、吠声を消すための対抗音を発生するスピーカを、該ハウリング防止層を介して該マイクロフォンに隣接して犬の首輪に取り付けたことを特徴とする。【００１２】  さらに、請求項５によれば、請求項３に記載の犬の吠声消音装置を具体的に実現する構成の一つとして、犬が吠えるときに生じる喉の振動を検出するセンサーを犬の喉に密着する位置となるように犬の首輪に取り付け、吠声を消すための対抗音を発生するスピーカを、該センサーに隣接して、犬の首輪に取り付けたことを特徴とする。
【発明の効果】
【００１３】  本発明による犬の吠声消音装置およびそのビジネスモデルによれば、効果的でありながら犬の首輪に搭載できるコンパクトで低価格な犬の吠声消音装置を提供すると共に、低価格を実現する。【００１４】  従来のアクティブノイズコントロール装置は、ＤＳＰ（ディジタル・シグナル・プロセッサー）を用いて、汎用性をもたせるため騒音をリアルタイムで計測し、リアルタイムで騒音の逆位相の音を発生させる。【００１５】  しかしながら、ＤＳＰ（ディジタル・シグナル・プロセッサー）は装置が高価であり、サイズも大きくなる。サイズが大きいことは、動き回る犬の身体に取り付けることは不可能となる。その結果、音源が移動する場合の消音を行うことになり、消音技術も高度になり、安価な装置では十分な効果が得られない。【００１６】  一方、本発明による犬の吠声消音装置では、予め犬の吠え声の周波数特性を把握した上で、その犬に適したオーダーメイドの装置を提供する。言い換えれば、その犬の吠え声の主要周波数成分をもつ音を合成し、１８０度位相をずらせて消音のための対抗音として発生させる。したがって、高価なＤＳＰ（ディジタル・シグナル・プロセッサー）は不要で、装置もコンパクトで安価なものにできる。【００１７】  装置がコンパクトにできるので、犬の首輪に装着できる。このことは、消音装置を常時音源に近い位置に設置できることになり、消音効果も高くなる。【００１８】  また、本発明による装置は、犬には何ら刺激や苦痛を与えることなく、犬自身には自分の吠え声は聞こえる。したがって、犬はストレスがたまることなく、犬の飼い主も安心して装置を使用できる。
【発明を実施するための最良の形態】  以下に図面を参照して本発明に係わる実施の形態例を詳細に説明する。
なお、本発明は以下に説明する構成の相対位置、数値等に何ら限定されるものではなく、特に特定的な記載がない限り本発明の範囲を以下の記載に限定するものではない。
【第一の実施例】
【００１９】  本発明の第一の実施例を図にしたがって説明する。図１は、本発明による犬の吠声消音装置の概略構成およびそのビジネスモデルを説明する図である。図２は本発明による犬の吠声消音装置の機能的構成を示し、信号制御機器と信号の流れを説明する図である。図３は本発明による犬の吠声消音装置の機器構成と犬の首輪に取り付けた場合の配置を説明する図である。
【００２０】  図１において、顧客１は図示しない自ら所有する音声記録装置を用いて犬の吠え声データ２を、サービスチャンネル４ａを通じてサービスセンター３に送るか、またはサービスセンター３に飼い犬を連れて出向いて、犬の吠え声データ２をサービスセンター３に提供する。
【００２１】  サービスセンター３では、音声解析装置５を用いて、犬の吠え声データ２に基づいて、吠え声の主要成分の周波数、位相、音圧レベルに関するデータ６を取得し、このデータを吠え声消音装置７の主要音成分の位相・音圧設定機器１２に入力する。
【００２２】  吠え声消音装置７は、吠え声受信器８、吠え声の特定周波数位相検出器９、吠え声の音圧レベル検出器１０、合成音発生器１１、主要音成分の位相・音圧設定器１２、ＣＰＵ１３、バッテリー１４、データバス１５等から構成されている。
【００２３】  主要音成分の位相・音圧設定器１２の設定に基づき、合成音発生器１１は犬の吠え声の擬似音声を発生するようになっているが、その位相は吠え声受信器８で受信された吠え声に対して１８０度位相の異なる擬似吠え声を発生するように、ＣＰＵ１３によって設定されるようになっている。
【００２４】  吠え声受信器８で受信された吠え声の位相は、吠え声の特定周波数位相検出器９によって検出され、その位相に基づいて、合成音発生器１１から出力される音声の位相が設定されるようになっている。
【００２５】    また、吠え声受信器８で受信された吠え声の音圧レベルは、吠え声の音圧レベル検出器１０で検出され、その結果に基づいて、合成音発生器１１の出力音声の音圧が設定され、犬の吠え声を逆位相の擬似音声で消すようになっている。
【００２６】  上述したように、サービスセンター３では、吠え声消音装置７を、顧客１の飼い犬に即したオーダーメイドの設定をする。その上で、サービスチャンネル４ｂを通じて顧客１に提供する。
【００２７】  次に、図２によって、吠え声消音装置の機能的な構成を説明する。同図において、犬１６の吠え声はテープレコーダー１７によって録音され、カセットテープ１８に記録される。
【００２８】  カセットテープ１８に記録された音声データ２から、音声解析装置５によって主要成分の周波数、位相、振幅に関するデータ６が得られる。
【００２９】  上記の主要成分は、代表成分をＡ１ｓｉｎω１ｔ  とするとき、その他の成分は、Ａ２ｓｉｎ（ω２ｔ＋α２）、Ａ３ｓｉｎ（ω３ｔ＋α３）、・・・・、Ａｎｓｉｎ（ωｎ  ｔ＋αｎ）として表される。ここに、Ａ１、Ａ２、Ａ３、・・・Ａｎは主要成分の音圧振幅であり、ω１、ω２、ω３、・・・・ωｎは主要成分の角周波数であり、α２、α３、・・・・αｎは位相を表す。
【００３０】  上記データ６に基づき、吠え声消音装置７では次のようにして吠え声の擬似音声を合成する。先ず、発振器１９、２０、２１、・・・２２は該データ６の主要成分に対応する角周波数ω１、ω２、ω３、・・・・ωｎに等しい角周波数の正弦関数の波形を発生する。
【００３１】  次に、遅延回路２３、２４、・・・２５では、上記正弦関数の波形に前記位相α２、α３、・・・・αｎに相当する時間遅れを与える。
【００３２】  さらに、増幅器２６、２７、２８、・・・２９では前記音圧振幅Ａ１、Ａ２、Ａ３、・・・・Ａｎに相当する振幅を与え、加算増幅器３０で増幅器２６、２７、２８、・・・２９の出力を加算すると、吠え声の擬似音声波形出力４０を得る。
【００３３】  上記の擬似音声波形を犬の吠え声に対して逆位相の波形とするために、次の処理が行なわれる。
【００３４】  先ず、吠え声受信器８からの音声信号は、狭帯域通過フィルター３２によって、ω１の角周波数を有する成分のみが抽出され、波形整形回路３３によって矩形波形信号３５が位相比較回路３４に伝達される。
【００３５】  次に、ω１の角周波数を有する発振器１９の出力である正弦関数波形信号３８が、波形整形回路３６に伝達され、波形整形回路３６から伝達される矩形波形信号３７が、位相比較回路３４に伝達される。
【００３６】  位相比較回路３４では、角周波数ω１の成分を有する、受信音声信号と擬似音声信号の位相差を計算し、受信音声信号と擬似音声信号の位相差信号３９を遅延回路３１に伝達する。
【００３７】  遅延回路３１では、擬似音声信号４０の位相を、受信器８で受信した吠え声の音声信号に対して逆位相となる音声信号４３として音圧設定回路４１に伝達する。
【００３８】  一方、受信器８の信号は、音圧検出回路１０に伝達され吠え声の音圧レベル信号４２となって音圧設定回路４１に伝達される。
【００３９】  音圧設定回路４１は、音圧レベル信号４２を受けて、音声信号４３を増幅して吠え声対向音声信号４４としてスピーカ４５に伝達する。
【００４０】  かくして、スピーカ４５から、吠え声の音圧レベルに相当する音圧を有し、かつ吠え声と逆位相を有する擬似音声が発せられて、犬の吠え声をキャンセルする。
【００４１】  以上、図２で説明した回路は、吠え声消音装置７の機能説明に用いた回路であって、実際の回路は図示しないマイクロコンピュータに組み込まれたソフトウェアで実現される回路もある。
【００４２】  次に、図３によって本発明による犬の吠声消音装置の機器構成と犬の首輪に取り付けた場合の配置例を説明する。
【００４３】  図３において、４６は犬の首、４７は吠え声の発生源である犬の声帯である。犬の首に取り付けられた首輪４８に、以下のように吠え声消音装置が取り付けられている。
【００４４】  １４はバッテリー、４９は信号制御回路である。該声帯に対面して吠え声受信器８が設けられており、該受信器８の両側には一対のスピーカ４５ａ、４５ｂがケース５０に取り付けられ、ケース５０は首輪４８に連結されている。
【００４５】  該受信器８は吸音材５２と遮音板５１で囲まれ、該スピーカ４５ａ、４５ｂの発する音でハウリングを生じないようにしてある。
【第二の実施例】
【００４６】  本発明の第二の実施例を図にしたがって説明する。第一の実施例の図２では、犬の吠え声の主要成分を用いて吠え声を消すための対抗音を合成する例を示したが、図４で示す第二の実施例では、対抗音は犬の吠え声の録音データを用いている。図４は第二の実施例の吠え声消音装置の機能的な回路構成の説明図である。
【００４７】  図４において、犬１６の吠え声は、テープレコーダー１７で録音され、カセットテープ１８に記録されて、犬の吠え声データ２として、吠え声消音装置７の音声データ記憶装置５３に格納される。
【００４８】  一般に犬の吠え声データ２は断続的な吠え声のデータであるが、音声データ記憶装置５３に格納される音声データは連続音となるような編集がなされる。
【００４９】  音声データ記憶装置５３の出力である連続音信号５４は、遅延回路３１に入力されると共に、特定周波数の信号だけを通過させる狭帯域フィルター５５に入力され特定周波数の波形信号５６となって波形整形回路３６入力される。さらに波形成形回路３７で、矩形波信号３７となって位相比較回路３４に入力される。
【００５０】  一方、吠え声受信器８で受信した犬の吠え声の信号は、狭帯域フィルター３２に入力され、狭帯域フィルター５５で通過する信号の周波数と同じ周波数の信号だけを通過させ、波形整形回路３３を介して矩形波信号３５が位相比較回路３４に入力される。
【００５１】  位相比較回路３４は、音声データ記憶装置５３から得た特定周波数の位相と吠え声受信器８から得た特定周波数の位相を比較して、連続音信号５４の位相が犬の吠え声の位相に対して１８０度遅れた位相となるように、遅延回路３１で設定される遅延時間を決定する。
【００５２】  かくして、遅延回路４３の出力である音声信号４３は、犬の吠え声を打ち消す対抗音の信号となる。その音圧は音圧設定回路４１で設定される。
【００５３】  吠え声受信器８の信号強度は、音圧検出回路１０によって検出され、音圧設定回路４１は音圧検出回路１０からの音圧レベル信号４２を受けて、対抗音信号４４の信号強度を設定する。
【００５４】  かくして、スピーカ４５から犬の吠え声と音圧レベルは等しく位相が逆転した対抗音が発せられる。
【図面の簡単な説明】
【００５５】
【００５６】
【図１】犬の吠声消音装置の概略構成およびそのビジネスモデルを説明する図。
【図２】第一の実施例における犬の吠声消音装置の機能的な回路構成を示し、信号制御機器と信号の流れを説明する図。
【図３】犬の吠声消音装置の機器構成と犬の首輪に取り付けた場合の配置を説明する図。
【図４】第二の実施例の吠え声消音装置の機能的な回路構成の説明図。
【符号の説明】
１    顧客
２    犬の吠え声データ
３    サービスセンター
４ａ、４ｂ  サービスチャンネル
５    音声解析装置
６    吠え声の主要成分の周波数、位相、音圧レベルに関するデータ
７    吠え声消音装置
８    吠え声受信器
９    吠え声の特定周波数位相検出器
１０  吠え声の音圧レベル検出器
１１  合成音発生器
１２  主要音成分の位相・音圧設定器
１３  ＣＰＵ
１４  バッテリー
１５  データバス
１６  犬
１７  テープレコーダー
１８  カセットテープ
１９  発振器
２０  発振器
２１  発振器
２２  発振器
２３  遅延回路
２４  遅延回路
２５  遅延回路
２６  増幅器
２７  増幅器
２８  増幅器
２９  増幅器
３０  加算増幅器
３１  遅延回路
３２  狭帯域通過フィルター
３３  波形整形回路
３４  位相比較回路
３５  矩形波形信号
３６  波形整形回路
３７  矩形波形信号
３８  正弦関数波形信号
３９  受信音声信号と擬似音声信号の位相差信号
４０  擬似音声信号
４１  音圧設定回路
４２  音圧レベル信号
４３  音声信号
４４  吠え声対向音声信号
４５、４５ａ、４５ｂ  スピーカ
４６  犬の首
４７  犬の声帯
４８  首輪
４９  信号制御回路
５０  ケース
５１  遮音板
５２  吸音材
５３  音声データ記憶装置
５４  連続音信号
５５  狭帯域フィルター
５６  特定周波数の波形信号
【図１】
2005295980.tif 000003
【図２】
2005295980.tif 000004
【図３】
2005295980.tif 000005
【図４】
2005295980.tif 000006